(57)【要約】【課題】  化粧部材の取付けが容易であると共に意匠性の向上が図れる建具を提供する。【解決手段】  表面を表面材２で覆い、内部に発泡断熱材３を設けてなる建具本体４の表面に化粧部材７を取付けた建具であって、前記化粧部材７は長尺で薄板状の化粧部材本体７ａと、該化粧部材本体７ａの裏面に適宜間隔で突設された突起部８とを備え、前記建具本体４の表面に前記突起部８を挿入する孔部１２を設け、該孔部１２から前記突起部８を前記発泡断熱材３に差し込むと共に、化粧部材７の裏面を建具本体４の表面に接着してなる。【選択図】          図４
2005133353.tif 000002
【特許請求の範囲】
【請求項１】
表面を表面材で覆い、内部に発泡断熱材を設けてなる建具本体の表面に化粧部材を取付けた建具であって、前記化粧部材は長尺で薄板状の化粧部材本体と、該化粧部材本体の裏面に適宜間隔で突設された突起部とを備え、前記建具本体の表面に前記突起部を挿入する孔部を設け、該孔部から前記突起部を前記発泡断熱材に差し込むと共に、化粧部材の裏面を建具本体の表面に接着してなることを特徴とする建具。
【発明の詳細な説明】
【技術分野】
【０００１】
本発明は、建具に係り、特に製造性等の向上を図った建具本体の表面に化粧部材を取付けた建具に関するものである。
【背景技術】
【０００２】
例えばドア，戸等の建具においては、その意匠性の向上を図るために建具本体の表面に化粧モール（化粧部材）を取付けることが行われている。図７は従来の化粧モールを取付けた建具の正面図、図８は従来の化粧モールを取付けた建具の縦断面図である。
図において、１はドア（建具）で、このドア１は表面を表面材例えば鋼板２で覆い、内部に発泡樹脂材３を充填してなるドア本体（建具本体）４を有している。このドア本体４の表面に金属製の化粧モール（化粧部材）７０が取付けられている。この化粧モール７０の取付構造としては、ドア本体４の鋼板２に孔部（図示省略）を設け、該鋼板２の表面に樹脂製の取付部材７１を孔部から発泡断熱材３に差込むようにして取付け、前記鋼板２の表面から突出した取付部材７１の頭部７１ａに化粧モール７０を嵌合させて取付ける構造が採用されている。なお、関連技術としては例えば化粧モール取付構造が知られている（特開２００１−２７５１５６５号公報参照）。
【０００３】
【特許文献１】特開２００１−２７１５６５号公報
【発明の開示】
【発明が解決しようとする課題】
【０００４】
しかしながら、前記建具においては、鋼板２の表面に取付部材７１を孔部から発泡断熱材３に差込むようにして取付けてから、更に取付部材７１の頭部７１ａに化粧モール７０を嵌合させて取付けているため、化粧モール７０の取付けに手間がかかると共に、化粧モールが大きくなってしまい、意匠性が損なわれる問題がある。化粧モールが大きくなると、化粧モールの端部に接触して怪我をする恐れがあるため、これを防止すべく化粧モールの端部に樹脂製のキャップを取付ける必要があり、コストの増大を招く問題もある。
【０００５】
本発明は上記事情を考慮してなされたものであり、化粧部材の取付けが容易になると共に意匠性の向上が図れる建具を提供することを目的とする。
【課題を解決するための手段】
【０００６】
本発明は、表面を表面材で覆い、内部に発泡断熱材を設けてなる建具本体の表面に化粧部材を取付けた建具であって、前記化粧部材は長尺で薄板状の化粧部材本体と、該化粧部材本体の裏面に適宜間隔で突設された突起部とを備え、前記建具本体の表面に前記突起部を挿入する孔部を設け、該孔部から前記突起部を前記発泡断熱材に差し込むと共に、化粧部材の裏面を建具本体の表面に接着してなることを特徴とする。
【発明の効果】
【０００７】
本発明によれば、表面を表面材で覆い、内部に発泡断熱材を設けなる建具本体の表面に化粧部材を取付けた建具であって、前記化粧部材は長尺で薄板状の化粧部材本体と、該化粧部材本体の裏面に適宜間隔で突設された突起部とを備え、前記建具本体の表面に前記突起部を挿入する孔部を設け、該孔部から前記突起部を前記発泡断熱材に差し込むと共に、化粧部材の裏面を建具本体の表面に接着してなるため、化粧部材の取付けが容易になると共に意匠性の向上が図れる
【発明を実施するための最良の形態】
【０００８】
以下に、本発明を実施するための最良の形態について、添付図面を基に詳述する。図１は本発明をドアに適用した実施の形態を示す図で、（ａ）は室外側正面図、（ｂ）は室内側正面図、図２は同ドアの拡大縦断面図、図３は同ドアの拡大横断面図、図４は化粧モールの取付構造を示す拡大断面図、図５は化粧モールを概略的に示す斜視図、図６はドアの表面に孔部を設けた状態を示す室外側正面図である。
【０００９】
これらの図において、１は建具であるドアで、このドア１は表面を表面材である鋼板２で覆い、内部に発泡断熱材３を設けてなるドア本体（建具本体）４を有している。更に具体的には、ドア本体４は上下の横エッジ材５ａ，５ｂと左右の縦エッジ材５ｃ，５ｄを方形に組み、その表面に表面材である鋼板２を張設し、その内部に発泡断熱材３を注入発泡により設けるか、或いはパネル状に成形した発泡断熱材３を設けてなる。ドア本体４の一側部（戸先側）には、戸先框が取付けられている。
【００１０】
前記ドア本体４の室外側表面には、金属製例えばアルミ押出形材からなる横長の化粧モール（化粧部材）７が複数列設けられている。該化粧モール７は、長尺で薄板状（厚さが２ｍｍ程度）の化粧モール本体（化粧部材本体）７ａと、該化粧モール本体７ａの裏面に適宜間隔で突設された複数の突起部８とを備えている。前記化粧モール本体７ａの裏面には突起部８を形成するための突条部（図示省略）が形成されており、この突条部のプレス切断加工により突起部８が形成されている。突起部８は、前記発泡断熱材３に差込み易いように板状で且つ先端に尖鋭部９を有している。なお、図示例では、尖鋭部９が二股状になっているが、山形状であっても良い。前記化粧モール本体７ａの裏面にはこれを前記ドア本体４の表面に接着する接着手段として両面粘着テープ１０が設けられている。両面粘着テープ１０による化粧モール本体７ａの浮き上がりを防止するために、化粧モール本体７ａの裏面には両面粘着テープ１０を収容して貼り付けるための溝部１１が前記突起部８との干渉を避けて長手方向に沿って設けられている。
【００１１】
前記ドア本体４の表面すなわち鋼板２には、前記突起部８と対応する位置に突起部８を挿入するための孔部１２が設けられている。図６に示すように孔部１２の形状は長方形であり、ドア本体４の表面には孔部１２が横方向一列に所定の間隔で複数個例えば４個ずつ且つ上下方向に所定の間隔で複数列例えば三列設けられている。図４に示すように横一列の各孔部１２の一側面（上端又は下端）に突起部８の一側面を当接させることにより、化粧モール７の位置決めができるようになっている。前記化粧モール７は、前記孔部１２から突起部８を発泡断熱材３に差し込むと共に、化粧モール本体７ａの裏面をドア本体４の表面に両面粘着テープ１０により接着して取付けられている。
【００１２】
以上の構成からなるドア（建具）１によれば、表面を表面材例えば鋼板２で覆い、内部に発泡断熱材３を設けてなるドア本体（建具本体）４の表面に化粧モール７を取付け、前記化粧モール７は長尺で薄板状の化粧モール本体７ａと、該化粧モール本体７ａの裏面に適宜間隔で突設された突起部８とを備え、前記ドア本体４の表面に前記突起部８を挿入する孔部１２を設け、該孔部１２から前記突起部８を前記発泡断熱材３に差し込むと共に、化粧モール７の裏面をドア本体４の表面に接着してなるため、化粧モール７の取付けが容易になり簡単な構造にできると共に意匠性の向上が図れる。
【００１３】
すなわち、化粧モール７は長尺で薄板状の化粧モール本体７ａと、該化粧モール本体７ａの裏面に適宜間隔で突設された突起部８とを備えているため、突起部８をドア本体４の表面の孔部１２から内部の発泡断熱材３に差込むだけで容易に取りつけることができ、製造性の向上が図れる。また、化粧モール本体７ａは薄板状であるため、ドア本体４の表面から大きく膨らんで出っ張ることがなく、スマートで意匠性の向上が図れる。しかも、化粧モール本体７ａの厚さが薄く、端部がドア本体４の表面から大きく突出することが無いので、端部に接触して負傷するようなことがなく、端部キャップを必要としないので、意匠性の更なる向上及びコストの低減が図れる。また、化粧モール本体７ａの裏面に適宜間隔で突設した突起部８をドア本体４の表面の孔部１２から内部の発泡断熱材３に差込むと共に、ドア本体４の裏面をドア本体４の表面に接着手段例えば両面粘着テープ１０により接着してなるため、化粧モール７の取付強度の向上が図れる。
【００１４】
本発明の実施の形態ないし実施例を図面により詳述してきたが、本発明は前記実施の形態ないし実施例に限定されるものではなく、本発明の要旨を逸脱しない範囲での種々の設計変更等が可能である。例えば、本発明はドアだけでなく引戸等の建具にも適用可能である。表面材としては、鋼板以外に例えばアルミ板であっても良い。
【図面の簡単な説明】
【００１５】
【図１】本発明をドアに適用した実施の形態を示す図で、（ａ）は室外側正面図、（ｂ）は室内側正面図ある。
【図２】同ドアの拡大縦断面図である。
【図３】同ドアの拡大横断面図である。
【図４】化粧モールの取付構造を示す拡大断面図である。
【図５】化粧モールを概略的に示す斜視図である。
【図６】ドアの表面に孔部を設けた状態を示す室外側正面図である。
【図７】従来のドアの一例を示す図で、（ａ）は室外側正面図、（ｂ）は室内側正面図ある。
【図８】同ドアの拡大縦断面図である。
【符号の説明】
【００１６】
１  ドア（建具）
２  鋼板（表面材）
３  発泡断熱材
４  ドア本体（建具本体）
７  化粧モール（化粧部材）
７ａ  化粧モール本体（化粧部材本体）
８  突起部
１２  孔部
【図１】
2005133353.tif 000003
【図２】
2005133353.tif 000004
【図３】
2005133353.tif 000005
【図４】
2005133353.tif 000006
【図５】
2005133353.tif 000007
【図６】
2005133353.tif 000008
【図７】
2005133353.tif 000009
【図８】
2005133353.tif 000010